(57)【要約】【課題】睡眠中の体温リズムを考慮した暑めとなる温度制御パターンを基に、ユーザの暑熱状態に関する情報を加味して運転制御を行うことによって、睡眠中の冷えすぎを防止して快適な睡眠状態を作出するとともに、省エネにも資する空気調和機を提供する。【解決手段】就寝時におけるユーザに関する暑熱状態を計測する検知部５と、検知部５において計測された暑熱状態の情報に基づいて室温を変化させて運転状態を制御する制御部３と、を備え、制御部３は、睡眠モードで運転されるユーザの睡眠時間Ｔｓのうち、第１の時間ｔ１までは暑熱状態の情報に基づいて運転制御を行い、第１の時間ｔ１から第２の時間ｔ２までの間に所定の温度室温を上昇させ、第２の時間ｔ２以降は第２の時間終了時の室温を維持する運転制御を行う。【選択図】図３
2011133128.tif 000002
【特許請求の範囲】
【請求項１】
就寝時におけるユーザに関する暑熱状態を計測する検知部と、
前記検知部において計測された前記暑熱状態の情報に基づいて室温を変化させて運転状態を制御する制御部と、を備え、
前記制御部は、睡眠モードで運転されるユーザの睡眠時間のうち、第１の時間までは前記暑熱状態の情報に基づいて運転制御を行い、前記第１の時間から第２の時間までの間に所定の温度室温を上昇させ、前記第２の時間以降は前記第２の時間終了時の室温を維持する運転制御を行うことを特徴とする空気調和機。
【請求項２】
前記第１の時間から前記第２の時間までの間に上昇させる室温の温度幅は、複数設定されていることを特徴とする請求項１に記載の空気調和機。
【発明の詳細な説明】
【技術分野】
【０００１】
本発明は、ユーザの暑熱情報に基づいて運転制御される空気調和機に関する。
【背景技術】
【０００２】
空気調和機は、ユーザが常に快適と感じる空調温度で運転されることが理想である。例えば、ユーザが覚醒している（起きている）状態の場合は、空気調和機の運転によって維持される温度は、ユーザの暑い、寒いという感覚に応じて適宜ユーザによって設定される。
【０００３】
一方、ユーザの就寝時においては、覚醒時と異なり不快な状態となってもユーザ自身が適宜設定温度を変化させることはできない。そこで、例えば、特許文献１に記載の発明には、以下のような空調制御方法が開示されている。
【０００４】
すなわち、入床時には所定の初期温度（Ｔ０）の調和空気を供給し、その後、寝床内の湿度検出手段によって計測される発汗量が時間の経過とともに上昇して第１所定値を越えた後、減少して第２所定値よりも小さくなると、該初期温度（Ｔ０）よりも高い第１温度（Ｔ１）の調和空気を供給し、その後発汗量が時間の経過とともに上昇して第３所定値を越えると、該第１温度（Ｔ１）よりも低い第２温度（Ｔ２）の調和空気を供給し、該発汗量が時間の経過とともに減少して第４所定値よりも小さくなると、該第１温度（Ｔ１）の調和空気を供給する。
【先行技術文献】
【特許文献】
【０００５】
【特許文献１】特許第３１６４０５１号公報
【発明の概要】
【発明が解決しようとする課題】
【０００６】
しかしながら、上述の特許文献１に開示されている発明では、以下の点について配慮がなされていない。
【０００７】
すなわち、湿度検出値からユーザの体の放熱状態を捉えており、この検出値のみを基に空気調和機の設定温度の上昇、低下を行っている。ここで、ユーザが寝ている間に暑くなって発汗したことを湿度検出値の上昇から検出することは可能である。ところが、その後、室温を低下させることで涼しくなってユーザに快適な状態を保った場合と室温が低下しすぎてユーザにとって寒い状態にとった場合では、いずれも発汗は生じない。
【０００８】
すなわち、湿度変化によっては暑がっている状態の検出及び暑くなくなった状態は検出できるが、ユーザが寒くなっている状態を検出することができないため、ユーザの寝冷えを引き起こす可能性が懸念される。
【０００９】
本発明は上記課題を解決するためになされたものであり、本発明の目的は、睡眠中の体温リズムを考慮した暑めとなる温度制御パターンを基に、ユーザの暑熱状態に関する情報を加味して運転制御を行うことによって、睡眠中の冷えすぎを防止して快適な睡眠状態を作出するとともに、省エネにも資する空気調和機を提供することである。
【課題を解決するための手段】
【００１０】
本発明の実施の形態に係る特徴は、空気調和機において、就寝時におけるユーザに関する暑熱状態を計測する検知部と、検知部において計測された暑熱状態の情報に基づいて室温を変化させて運転状態を制御する制御部と、を備え、制御部は、睡眠モードで運転されるユーザの睡眠時間のうち、第１の時間までは暑熱状態の情報に基づいて運転制御を行い、第１の時間から第２の時間までの間に所定の温度室温を上昇させ、第２の時間以降は第２の時間終了時の室温を維持する運転制御を行う。
【発明の効果】
【００１１】
本発明によれば、睡眠中の体温リズムを考慮した暑めとなる温度制御パターンを基に、ユーザの暑熱状態に関する情報を加味して運転制御を行うことによって、睡眠中の冷えすぎを防止して快適な睡眠状態を作出するとともに、省エネにも資する空気調和機を提供することができる。
【図面の簡単な説明】
【００１２】
【図１】本発明の実施の形態に係る空気調和機を示す全体図である。
【図２】本発明の実施の形態に係る制御部の内部構成を示すブロック図である。
【図３】本発明の実施の形態に係る空気調和機の運転制御の流れを示すフローチャートである。
【図４】本発明の実施の形態に係る空気調和機による運転制御の際の温度変化を時間ごとに示したグラフである。
【発明を実施するための形態】
【００１３】
以下、本発明の実施の形態について図面を参照して詳細に説明する。
【００１４】
図１は、本発明の実施の形態に係る空気調和機１を示す全体図である。空気調和機１は、冷凍サイクル装置２と、制御部３からの運転制御指令に基づいて冷凍サイクル装置２のコンプレッサ（圧縮機）２１を制御するインバータ４と、制御部３に対してユーザの暑熱状態に関する情報を計測して送信する検知部（暑熱検知センサ）５と、ユーザが就寝する室内、すなわち空気調和機１が設置されている室内の温度を計測する室温センサ６とから構成される。また、制御部３（空気調和機１）に対して運転制御の指令を出すためにユーザが使用するリモートコントローラＲも備え付けられている。
【００１５】
冷凍サイクル装置２は、大きくは室内機と室外機とから構成されており、コンプレッサ２１と、四方弁２２と、室外熱交換器２３と、膨張弁２４と、室内熱交換器２５とアキュムレータ２６とがサイクル状に連結されている。
【００１６】
この冷凍サイクル装置２において、コンプレッサ２１から吐出される冷媒は、冷房時には、四方弁２２を介して実線の矢印で示されているように、室外熱交換器２３に供給される。ここで室外ファン２３ａを介して外気と熱交換して凝縮される。凝縮された冷媒は、室外熱交換器２３から流出して膨張弁２４を通過し室内熱交換器２５へと送られる。室内熱交換器２５内の冷媒は、室内ファン２５ａが回転することによって室内へ送り出されて室内の空気と熱交換をして蒸発することで、室内を冷却する。その後室内熱交換器２５から流出された冷媒は、四方弁２２及びアキュムレータ２６を介して再びコンプレッサ２１へと吸い込まれる。
【００１７】
制御部３は、リモートコントローラＲからの指令や後述する検知部５（図１では「暑熱検知センサ５」と表わしている。以下では、適宜「暑熱検知センサ５」と表わす）等からの情報を受信するとともに、室温センサ６の検出室温を読み取り、これらのデータを元にしてインバータ４を介して冷凍サイクル装置２の運転制御を行う。制御部３は、図２に示すように、受信部３１と、判断部３２と、記憶部３３と、計時部３４と、送信部３５とから構成される。なお、制御部３を構成する各機器の働きについては、本発明の実施の形態における空気調和機１の運転制御の流れを説明するのと併せて説明する。
【００１８】
暑熱検知センサ５は、例えば、湿度センサが用いられる。この湿度センサは、ユーザの就寝時の発汗（湿度）を検知する。そのため、例えば、ユーザが就寝するマット等に設置されている。
【００１９】
リモートコントローラＲは、冷暖房等の運転状態の切替や温度設定等を行うためにユーザが使用する。リモートコントローラＲには液晶等の表示部Ｒ１とその他、これらの設定を行うために必要なボタンが複数設けられている。なお、図１に示すリモートコントローラＲでは、本発明の実施の形態を説明する上で必要な、「睡眠モードボタンＲ２」と睡眠時間Ｔｓを設定するための「設定ボタンＲ３」のみが示されている。
【００２０】
次に、本発明の実施の形態における空気調和機１の運転制御の流れについて、図３に示すフローチャート、及び、図４の温度変化を時間ごとに示したグラフを使用しつつ説明する。
【００２１】
まずユーザによってリモートコントローラＲの睡眠モードボタンＲ２が押し下げられると、判断部３２は受信部３１を介してその旨の指令を受け取り、空気調和機１を例えば昼間の使用で使われる通常の運転制御モードから睡眠モードの運転制御へと移行させる。併せて、睡眠モードボタンＲ２が押し下げられた時点での室温に関する情報を、室温センサ６を読み取り、室温ＴＳＣを設定する（ＳＴ１）。
【００２２】
また、判断部３２は、暑熱検知フラグＦをＦ＝０と設定する（ＳＴ２）。ここで暑熱検知フラグＦの「Ｆ＝０」は、詳細は後述するが、暑熱検知センサ５の暑熱検知によって制御を実行することができる状態を示すフラグである。従って、この場合に空気調和機１は暑熱検知センサ５から送信されるユーザの暑熱状態の情報に基づいて空気調和機１の運転制御を行うことができる。一方、後述する暑熱検知フラグＦの「Ｆ＝１」は、例えば、既に暑熱検知を行って、その結果を空気調和機１の運転制御に反映させた後に所定時間の間、暑熱検知に基づく制御を禁止する待機状態を示す。
【００２３】
さらに睡眠時間Ｔｓが設定されて睡眠モードによる運転制御が開始される（ＳＴ３）。この睡眠時間Ｔｓは、ユーザがリモートコントローラＲの設定ボタンＲ３を用いて設定する。なお、以下の説明においては、図４にも示されているように、設定される睡眠時間Ｔｓを８時間とした場合を例に挙げる。併せて、判断部３２は、計時部３４に対して設定された睡眠時間Ｔｓの計測の開始を指示する。
【００２４】
図４は、空気調和機１が睡眠モードで運転制御される場合の温度（室温）変化を時間ごとに示したグラフである。縦軸に「室温（℃）」が示され、横軸に睡眠時間（ｈ）が示されている。なお、図４に示すグラフでは、相対的な動きを示すもので、具体的な数値を伴った室温は示されていない。また、上述したように、以下の説明においては設定される睡眠時間Ｔｓを８時間とした場合を例に挙げることから、横軸の睡眠時間（ｈ）は８時間分目盛りが振られている。
【００２５】
さらに、図４に示されるように本発明の実施の形態おいては、室温が一定の幅で上昇していく起点となる時間を「第１の時間（ｔ１）」とし、室温の上昇が止まり、室温が一定温度で推移し始める時間を「第２の時間（ｔ２）」とする。図４のグラフでは、「第１の時間（ｔ１）」は睡眠モードによる運転制御が開始されてから３時間目に、「第２の時間（ｔ２）」は６時間半目に設定されている。
【００２６】
なお、これら「第１の時間（ｔ１）」、「第２の時間（ｔ２）」の具体的な時間については、設定された睡眠時間の長さによって変化する。また、睡眠モードによる運転制御が開始されてから「第１の時間（ｔ１）」までの間隔、「第１の時間（ｔ１）」から「第２の時間（ｔ２）」までの間隔については任意に設定することが可能である。
【００２７】
判断部３２は、計時部３４が計測している現在の睡眠時間Ｔｓと設定されている第１の時間（ｔ１）とを比較し、いずれが大きいか確認する。その結果、睡眠時間Ｔｓが第１の時間（ｔ１）より前であるか否かを判断する（ＳＴ４）。図４に示す例では、第１の時間（ｔ１）は、睡眠開始から３時間経過時である。その結果、現在の睡眠時間Ｔｓが第１の時間（ｔ１）より前である場合には、室温ＴＳＣ（Ｔｓ）を室温ＴＳＣ（Ｔｓ−Ｘ）とする（ＳＴ５）。
【００２８】
ここで「Ｘ」は、判断部３２が以下に説明する判断する一定の周期（時間）を表わし、例えば、「Ｘ」は１分である。この場合、判断部３２が行う判断は１分周期で行われることを示している。従って、ここでは、基本的に睡眠時間Ｔｓが第１の時間（ｔ１）より前であるときには、室温ＴＳＣ（Ｔｓ）＝室温ＴＳＣ（Ｔｓ−Ｘ）であるので、空気調和機１の運転開始時の室温が維持されることになる。なお、この判断周期を表わす「Ｘ」は、予め任意に設定され、記憶部３３に記憶されている。
【００２９】
判断部３２は、ユーザの就寝時の発汗（湿度Ｐａ）を検出する（ＳＴ６）。すなわち、暑熱検知センサ５から送信されてくる発汗（湿度Ｐａ）に関する情報を受信部３１を介して判断部３２が受信する。判断部３２は、さらに暑熱検知フラグＦが０であるか否かを判断する（ＳＴ７）。これは受信した発汗（湿度Ｐａ）に関する情報を基に就寝中のユーザの暑熱判定を行うか否かを確認するものである。その結果、暑熱検知フラグＦが「０」、すなわち、暑熱検知センサ５が暑熱検知を行い、その情報に基づいて空気調和機１を運転制御できる状態である場合には（ＳＴ７のＹＥＳ）、暑熱判定が行われる（ＳＴ８）。
【００３０】
判断部３２は、暑熱判定を行う際、暑熱検知センサ５が計測した睡眠時間Ｔｓにおける湿度Ｐａが予め定められている閾値Ａを越えるか否かを基準にする。この閾値Ａは、予め定められて記憶部３３に記憶されている。また、閾値Ａは任意に設定することが可能である。
【００３１】
閾値Ａを越えている、と判断された場合には（ＳＴ８のＹＥＳ）、判断部３２は、まず暑熱検知フラグＦを「Ｆ＝１」と設定する（ＳＴ９）。暑熱検知フラグＦ＝１は、既に暑熱判定が行われて次に暑熱検知フラグＦを「Ｆ＝０」と設定するまでこの状態を維持し、暑熱判定に関して待機状態にあることを示している。これは上述したように、暑熱判定の結果を空気調和機１の運転制御に反映させる必要があるからである。
【００３２】
判断部３２は、併せて待機時間Ｔｗをリセットし、Ｔｗ＝０と設定する（ＳＴ９）。ここで、「待機時間Ｔｗ」とは、暑熱判定に基づいて空気調和機１の運転制御を変更した場合に、その変更された室温に室内、ユーザが順応するのに必要な時間である。この待機時間Ｔｗも予め定められて記憶部３３に記憶されており、待機時間Ｔｗは任意に設定することが可能である。
【００３３】
すなわち、ユーザの暑熱を検知した、ということはユーザは暑さで寝苦しさを覚えている状態にある。そこで、本発明の実施の形態における空気調和機１は、暑熱検知センサ５が検知した湿度Ｐａを基にユーザが暑熱状態にあるか否かを判断し、その判定に基づいて睡眠開始時の設定温度ＴＳＣから室内温度が所定温度下がるように運転制御される。
【００３４】
ここで、ユーザがこの下がった室内温度に適用する時間をある程度確保しなければない。なぜならば、この待機時間Ｔｗが設定されないとユーザの暑熱が検知されている間、続けて室内温度が下がり続けることになるからである。これではユーザは寝冷えしてしまう。従って、「待機時間Ｔｗ」を設けることによって新たに設定された室温に室内、ユーザが順応するのに必要な時間が確保されて、寝冷えを防止することができる。
【００３５】
そして、判断部３２は、運転開始時の設定温度ＴＳＣをＴＳＣ＝ＴＳＣ（Ｔｓ）＋ΔＴｈと補正する（ＳＴ１０）。すなわち、ΔＴｈ℃運転開始時の設定温度から下げた温度を新たな室温ＴＳＣとする。この「ΔＴｈ」は例えば０．５℃であり、予め定められているとともに、任意に設定を変更することもできる。
【００３６】
図４に示すグラフでは、室温の推移を示す線としてＸ，Ｙ，Ｚの３つの線が示されている。このうち、暑熱判定の結果設定された室温ＴＳＣを下げる運転制御が行われる場合、線Ｙ或いは、線Ｚで示されるように温度が推移する。設定温度が低下することについては、破線Ｍ及び実線の矢印でその状態を示している。
【００３７】
このようにユーザの暑熱を検知した場合は、予め定められている温度（ここではΔＴｈ℃）だけ就寝時の温度から下げることで、就寝開始時におけるユーザの寝苦しさを解消することができる。
【００３８】
併せて、判断部３２は計時部３４に対して、次の暑熱判定開始までの「待機時間Ｔｗ」の計測開始を指示する（ＳＴ１１）。そして補正された新たな室温ＴＳＣにて空気調和機１の運転制御を行う（ＳＴ１２）。
【００３９】
以上、暑熱判定の結果、湿度Ｐａが閾値Ａを越えた場合の運転制御について説明したが、暑熱判定の結果、湿度Ｐａが閾値Ａを越えていない場合（ＳＴ８のＮＯ）には、ステップＳＴ９ないしステップＳＴ１１において説明した制御は行われず、運転開始時の室温ＴＳＣを維持するように運転制御される（ＳＴ１２）。図４においては、この状態は線Ｘによって表わされている。図４に示す線Ｘは、上述した暑熱判定に基づいて室温を下げる運転制御が行われた場合を示す破線Ｍの部分において室温の低下が見られない。これは、運転開始時の室温ＴＳＣを維持していることを示している。
【００４０】
計時部３４は、以上の判断に要した時間分を睡眠時間Ｔｓの計測にカウントし、Ｔｓ＝Ｔｓ＋Ｘとする（ＳＴ１３）。この加算される「Ｘ」は、前述した１分に対応するもので判断周期を示すものである。その上で、判断部３２は睡眠時間Ｔｓが満了したか否かを判断し（ＳＴ１４）、設定された睡眠時間Ｔｓ内であれば（ＳＴ１４のＮＯ）、さらにステップＳＴ４に戻って上述した判断が一定周期で繰り返される。
【００４１】
暑熱検知は、睡眠時間Ｔｓが第１の時間（ｔ１）より前である間には、待機時間Ｔｗが経過して暑熱判定が可能となる状態が作り出される限り行われる。そこで、ここでは、一旦判断部３２が暑熱検知フラグがＦ＝０であるか否かを判断するスッテップ（ＳＴ７）に戻り、暑熱検知フラグＦがＦ＝１である場合、すなわち暑熱検知を行なわない、待機状態にある場合（ＳＴ７のＮＯ）について説明する。
【００４２】
上述するように、例えば、暑熱判定の結果、睡眠時間の開始時の室温よりも下がった室温ＴＳＣで空気調和機１が運転制御されると、暑熱検知フラグＦはＦ＝１と設定される（ＳＴ９参照）。その場合には、所定の待機時間Ｔｗが経過したか否かが判断部３２によって判断される（ＳＴ１５）。この待機時間Ｔｗは上述したようにユーザ等が補正（低下）された室温ＴＳＣに順応するために設けられた時間である。そこで、その時間が経過していない場合には（ＳＴ１５のＮＯ）、待機時間Ｔｗはそのまま継続して計時部３４が計時する（ＳＴ１６）。
【００４３】
判断部３２が待機時間Ｔｗの経過を判断している間も空気調和機１の運転制御は継続されており、上述したステップＳＴ１２ないしステップＳＴ１４、及びステップＳＴ４以降の手順が繰り返される。
【００４４】
所定の待機時間Ｔｗが経過した場合（ＳＴ１５のＹＥＳ）には、待機時間Ｔｗをリセット（待機時間Ｔｗ＝０）するとともに暑熱検知フラグＦをＦ＝０とセットする（ＳＴ１７）。ここで暑熱検知フラグＦをＦ＝０と設定するのは、待機時間Ｔｗが経過したので再度暑熱判定を行うことができるようにするためである。
【００４５】
そして睡眠時間Ｔｓが第１の時間（ｔ１）より前である間には、改めて暑熱判定を行う。図４には、線Ｚが示されている。この線Ｚは、破線Ｍで示すように、一旦暑熱判定がされて睡眠モードが開始された際の室温ＴＳＣからΔＴｈ分下がった室温ＴＳＣ(設定温度)に補正した後、さらに暑熱判定の結果ΔＴｈ分室温を下げる補正（破線Ｎ）が行われた場合の温度の推移を示している。
【００４６】
次に、睡眠時間Ｔｓが第１の時間（ｔ１）を経過して、第１の時間（ｔ１）と第２の時間（ｔ２）との間に移行した場合について説明する。
【００４７】
ステップＳＴ４において、睡眠時間Ｔｓが第１の時間（ｔ１）前ではない場合（ＳＴ４のＮＯ）、すなわち第１の時間（ｔ１）を超えている場合には、次にその睡眠時間Ｔｓが第２の時間（ｔ２）より前であるか否かが判断される（ＳＴ１８）。第１の時間（ｔ１）と第２の時間（ｔ２）との間の時間では、空気調和機１は室温を予め設定された温度分徐々に上昇させる。
【００４８】
すなわち、判断部３２によって睡眠時間Ｔｓが第２の時間（ｔ２）より前であると判断されると（ＳＴ１８のＹＥＳ）、室温を、室温ＴＳＣ（Ｔｓ）＝ＴＳＣ（Ｔｓ−Ｘ）＋ΔＴ２／ｔ２となるように上昇させる（ＳＴ１９）。ここで「Ｘ」は、上述したように判断部３２による判断周期を示している。また、上昇分を表わす「ΔＴ２／ｔ２」については、予め定められて記憶部３３に記憶されている。なお、どの程度室温を上昇させるかについては、任意に定めることが可能とされている。
【００４９】
このように新たな室温が設定されると、空気調和機１をその室温となるように運転制御する（ＳＴ１２）。併せて睡眠時間ＴｓをカウントしてＴｓ＝Ｔｓ＋Ｘとし（ＳＴ１３）、睡眠時間Ｔｓが満了しない限り（ＳＴ１４のＮＯ）、さらにステップＳＴ４に戻って運転制御が行われる。
【００５０】
この室温を所定の温度幅（ΔＴ２／ｔ２）で上昇させる運転制御は、睡眠時間Ｔｓが第２の時間（ｔ２）を経過するまで継続する。睡眠時間Ｔｓが第２の時間（ｔ２）を経過すると（ＳＴ１８のＮＯ）、その後は、その直近の室温が維持されるように、すなわち第２の時間（ｔ２）経過時の室温が維持されるように、運転制御される（ＳＴ２０）。
【００５１】
図４に示すグラフにおいては、線Ｘは、暑熱判定が全く行われずそのまま時間とともに室温が推移した状態を示している。すなわち、第１の時間（ｔ１）までは睡眠開始時の室温のまま推移し、その後、所定の温度幅（ΔＴ２／ｔ２）で室温が上昇し、第２の時間（ｔ２）以降はその直近の室温が維持される。このように制御すると、睡眠時間Ｔｓが終了する睡眠開始時から８時間経過時には、室温は快適であるとされる温度幅の中にあって少し高い温度となる。
【００５２】
一方、就寝中のユーザの暑熱を検知して暑熱判定の結果を室温の温度設定に反映させると、例えば、線Ｙ、或いは、線Ｚで示すように、睡眠終了時には快適であるとされる温度に室温が到達することになる。すなわち、睡眠終了時の室温は運転開始時からの室温ＴＳＣに対し、―ΔＴｈ×ｎ＋ΔＴ２だけ変化した温度（ＴＳＣ―ΔＴｈ×ｎ＋ΔＴ２）、ここでｎ：睡眠開始からｔ１時間に至るまでに暑熱を検出した回数、となる。従って、途中で暑熱を検出した暑がり傾向のユーザに対しては線Ｙや線Ｚのように睡眠終了時には、睡眠中に暑熱が検出されなかったユーザの線ＸよりΔＴｈ×ｎだけ低めの室温となり、ユーザに合った室温制御が可能となる。
【００５３】
また、就寝当初は、体温上昇により暑く感じやすく、その後は体温が安定して暑さを感じなくなるという睡眠中の体温リズムを考慮した暑めとなる温度制御パターンを基に、ユーザの暑熱状態に関する情報を加味して運転制御を行うことによって、睡眠中の冷えすぎを防止して快適な睡眠状態を作出するとともに、省エネにも資する空気調和機を提供することができる。
【００５４】
すなわち、このように、線Ｘないし線Ｚのいずれの場合も、最終的にユーザが快適であると感じる温度幅の中にあって少し高めの温度となるように空気調和機１の運転制御が行われることで、ユーザの寝冷えを防止することができる。併せて、これまでの空気調和機ではより低い温度となるように運転制御されることにより必要以上のエネルギーを消費していたが、起床時の温度を快適な温度幅の中にあって少し暑めの温度となるように運転制御することで、省エネに資する。
【００５５】
なお、この発明は、上記実施の形態そのままに限定されるものではなく、実施段階ではその要旨を逸脱しない範囲で構成要素を変形して具体化できる。例えば、第１の時間（ｔ１）と第２の時間（ｔ２）との間において上昇させる温度幅は任意に設定できることから、例えば「通常モード」、「寒がりモード」というようにユーザが簡単に選択することができるように設定されていても良い。この場合、例えば、「通常モード」では温度幅を２℃とし、「寒がりモード」の場合には温度幅を３℃とすることで、ユーザの要求により細かく対応することができる。
【００５６】
また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【符号の説明】
【００５７】
１…空気調和機、２…冷凍サイクル装置、３…制御部、４…インバータ、５…検知部（暑熱検知センサ）、６…室温センサ、２１…コンプレッサ、２２…四方弁、２３…室外熱交換器、２３ａ…室外ファン、２４…膨張弁、２５…室内熱交換器、２５ａ…室内ファン、２６…アキュムレータ、３１…受信部、３２…判断部、３３…記憶部、３４…計時部、３５…送信部、Ｒ…リモートコントローラ、Ｒ１…表示部、Ｒ２…睡眠モードボタン、Ｒ３…設定ボタン
【図１】
2011133128.tif 000003
【図２】
2011133128.tif 000004
【図３】
2011133128.tif 000005
【図４】
2011133128.tif 000006